(57)【要約】【課題】簡易な構成で静止画のざらつき感を解消または低減することができる表示制御回路を提供する。【解決手段】本表示装置の表示制御回路２００において、マトリクス記憶部２１に記憶される高域の空間周波数成分が大きい高周波マトリクスに対して、ボリューム部２２が所定の値を乗算し、高周波付加部２３が与えられる表示階調データに対して上記乗算された値を含む高周波マトリクスを加算し、このことにより補償された表示階調データが出力データ記憶部２６に記憶され、タイミング制御部２４の制御信号ＣＴに応じてデジタル画像信号としてソースドライバに出力される。このソースドライバで駆動される表示部に表示される画像には高域の空間周波数成分が大きいので、局所的なざらつきが目に感じにくくなり、全体として表示画面のざらつき感を解消または低減することができる。【選択図】図４
2008032766.tif 000002
【特許請求の範囲】
【請求項１】
表示画像を構成する複数の画素を所定の階調で表示するための複数の表示階調データからなる画像信号を外部から受け取り、前記表示画像が表示されるときのざらつきが抑制されるよう補償された画像信号を出力する表示制御回路であって、
前記補償を行うためのマトリクスを構成するよう配列される複数の補正階調データであって、前記複数の表示階調データと対応づけることにより前記マトリクスを画像として取り扱うときの前記マトリクスの空間周波数成分として、表示可能な空間周波数領域内における高域の空間周波数成分が低域の空間周波数成分より大きくなるよう設定される前記複数の補正階調データを記憶するマトリクス記憶部と、
前記マトリクス記憶部に記憶される複数の補正階調データを、対応する前記複数の表示階調データにそれぞれ加算することにより得られる表示階調データを含む前記補償された画像信号を出力するマトリクス付加部と
を備える、表示制御回路。
【請求項２】
前記マトリクス記憶部は、前記マトリクスの縦方向に配列される補正階調データの数が前記表示画像の縦方向に配列される画素数の半分以下となり、かつ前記マトリクスの横方向に配列される補正階調データの数が前記表示画像の横方向に配列される画素数の半分以下となるよう設定される前記複数の補正階調データを記憶し、
前記マトリクス付加部は、前記マトリクス記憶部に記憶される複数の補正階調データを、対応する範囲がそれぞれ重ならないように選ばれる前記複数の表示階調データにそれぞれ加算することにより得られる表示階調データを含む前記補償された画像信号を出力することを特徴とする、請求項１に記載の表示制御回路。
【請求項３】
前記マトリクス記憶部は、前記複数の画素において表示される色に対応する複数のマトリクスを構成するよう配列される前記複数の補正階調データを記憶し、
前記マトリクス付加部は、前記マトリクス記憶部に記憶される前記複数の補正階調データを、対応する色毎に前記複数の表示階調データにそれぞれ加算することにより得られる表示階調データを含む前記補償された画像信号を出力することを特徴とする、請求項１に記載の表示制御回路。
【請求項４】
前記マトリクス付加部は、
前記マトリクス記憶部に記憶される前記複数の補正階調データに対して、対応する色毎に予め記憶される係数を乗算するボリューム部と、
前記ボリューム部によって乗算された前記複数の補正階調データを、対応する色毎に前記複数の表示階調データにそれぞれ加算することにより得られる表示階調データを含む前記補償された画像信号を出力する高周波付加部と
を含むことを特徴とする、請求項３に記載の表示制御回路。
【請求項５】
前記ボリューム部は、値が０である係数を含む前記複数の係数を記憶することを特徴とする、請求項４に記載の表示制御回路。
【請求項６】
請求項１から請求項５までのいずれか１項に記載の表示制御回路と、
前記表示制御回路から出力される画像信号に対応する複数の映像信号を伝達するための複数の映像信号線と、
前記複数の映像信号線と交差する複数の走査信号線と、
前記複数の映像信号線と前記複数の走査信号線との交差部にそれぞれ対応してマトリクス状に配置されており、対応する交差点を通過する走査信号線に印加される信号に応じて導通状態または遮断状態となるスイッチング素子をそれぞれ含む複数の画素形成部と、
前記複数の映像信号線および前記複数の走査信号線を駆動するための駆動制御回路と
を備えるアクティブマトリクス型表示装置。
【請求項７】
表示画像を構成する複数の画素を所定の階調で表示するための複数の表示階調データからなる画像信号を外部から受け取り、前記表示画像が表示されるときのざらつきが抑制されるよう補償された画像信号を出力する表示制御方法であって、
前記補償を行うためのマトリクスを構成するよう配列される複数の補正階調データであって、前記複数の表示階調データと対応づけることにより前記マトリクスを画像として取り扱うときの前記マトリクスの空間周波数成分として、表示可能な空間周波数領域内における高域の空間周波数成分が低域の空間周波数成分より大きくなるよう設定される前記複数の補正階調データを記憶するマトリクス記憶ステップと、
前記マトリクス記憶ステップにおいて記憶される複数の補正階調データを、対応する前記複数の表示階調データにそれぞれ加算することにより得られる表示階調データを含む前記補償された画像信号を出力するマトリクス付加ステップ部と
を含む、表示制御方法。
【発明の詳細な説明】
【技術分野】
【０００１】
本発明は、薄膜トランジスタ等のスイッチング素子を用いた液晶表示装置等のようなアクティブマトリクス型表示装置およびその表示制御回路に関する。
【背景技術】
【０００２】
一般に、アクティブマトリクス型の液晶表示装置は、液晶層を挟持する２枚の基板を含む表示部を備えており、当該２枚の基板のうち一方の基板には、映像信号線としての複数のデータ線と走査信号線としての複数のゲート線とが格子状に配置され、それら複数のデータ線とゲート線との交差点にそれぞれ対応してマトリクス状に配置された複数の画素形成部が設けられている。各画素形成部は、装置の表示部を構成しており、ゲート線にゲート端子が接続されデータ線にソース端子が接続されたスイッチング素子であるＴＦＴ（Ｔｈｉｎ  Ｆｉｌｍ  Ｔｒａｎｓｉｓｔｏｒ：薄膜トランジスタ）と、そのＴＦＴのドレイン端子に接続された画素電極とを含む。これら画素形成部を含む上記基板は、ＴＦＴ基板と呼ばれる。また、上記２枚の基板のうちＴＦＴ基板に対向する他方の基板には、上記複数の画素形成部に共通的に設けられた対向電極である共通電極と、表示色を形成するためのカラーフィルタ（ＣＦ：Ｃｏｌｏｒ  Ｆｉｌｔｅｒ）とが設けられている。この基板はＣＦ基板と呼ばれる。
【０００３】
このようなアクティブマトリクス型液晶表示装置は、その表示部のデータ線を駆動するデータドライバと、その表示部のゲート線を駆動するゲートドライバと、上記共通電極を駆動するための共通電極駆動回路と、データドライバ、ゲートドライバ、および共通電極駆動回路を制御するための表示制御回路とを有している。
【０００４】
近年、アクティブマトリクス型液晶表示装置は、携帯電話やＰＤＡなどの携帯機器の表示装置として、またテレビなどの大型の表示装置として広く使用されており、ますます高精細で高品質な表示が要求される。
【０００５】
例えば、動画を表示する際にぼやけを解消して高品質な表示を行うため、従来より、表示画像の運動成分をその速度に応じて強調する速度依存型高域空間周波数強調フィルタ回路を備えるマトリクス型映像表示装置がある（特許文献１を参照）。映像信号を上記フィルタ回路に与えることにより、速度に依存した低域通過作用を補償する強調が行われ、結果的に動画のぼやけが解消された高品質な表示を行うことができる。
【特許文献１】特開平７−１９９８５６号公報
【発明の開示】
【発明が解決しようとする課題】
【０００６】
しかし、上記従来のマトリクス型映像表示装置は、動画のぼやけを解消することはできるが、静止画の高品質な表示を行うことができない。特に、アクティブマトリクス型表示装置では、スイッチング素子として使用されるＴＦＴの特性ばらつきや液晶層のむらなどにより、画素形成部の表示特性にばらつきが生じることがあり、この表示特性のばらつきにより全体としてざらつき感のある静止画が表示されることがある。このような静止画のざらつき感は、マトリクス型映像表示装置の表示品質を低下させる。
【０００７】
この点、アクティブマトリクス型表示装置において、画素形成部の表示特性にばらつきがほとんど生じないようにＴＦＴ等を形成することは可能な場合もあるが、その場合であっても製造コストが非常に高くなり実用的ではない。
【０００８】
また、上記従来のマトリクス型映像表示装置のような速度依存型の高域空間周波数強調フィルタ回路ではないが一般的な高域の空間周波数を強調するフィルタ回路を備え、この回路に映像信号を与えることにより静止画のざらつき感を解消するマトリクス型表示装置も考えられる。このように高域の空間周波数を強調すると静止画のざらつき感を解消または低減することができる場合がある。しかし、上記のフィルタ回路は高度な演算を高速に行う必要があるためその構成が複雑となり、装置の製造コストが高くなる。
【０００９】
そこで本発明は、簡易な構成で静止画のざらつき感を解消または低減することができる表示制御回路およびそれを備えるアクティブマトリクス型表示装置を提供することを目的とする。
【課題を解決するための手段】
【００１０】
第１の発明は、表示画像を構成する複数の画素を所定の階調で表示するための複数の表示階調データからなる画像信号を外部から受け取り、前記表示画像が表示されるときのざらつきが抑制されるよう補償された画像信号を出力する表示制御回路であって、
前記補償を行うためのマトリクスを構成するよう配列される複数の補正階調データであって、前記複数の表示階調データと対応づけることにより前記マトリクスを画像として取り扱うときの前記マトリクスの空間周波数成分として、表示可能な空間周波数領域内における高域の空間周波数成分が低域の空間周波数成分より大きくなるよう設定される前記複数の補正階調データを記憶するマトリクス記憶部と、
前記マトリクス記憶部に記憶される複数の補正階調データを、対応する前記複数の表示階調データにそれぞれ加算することにより得られる表示階調データを含む前記補償された画像信号を出力するマトリクス付加部と
を備える。
【００１１】
第２の発明は、第１の発明において、
前記マトリクス記憶部は、前記マトリクスの縦方向に配列される補正階調データの数が前記表示画像の縦方向に配列される画素数の半分以下となり、かつ前記マトリクスの横方向に配列される補正階調データの数が前記表示画像の横方向に配列される画素数の半分以下となるよう設定される前記複数の補正階調データを記憶し、
前記マトリクス付加部は、前記マトリクス記憶部に記憶される複数の補正階調データを、対応する範囲がそれぞれ重ならないように選ばれる前記複数の表示階調データにそれぞれ加算することにより得られる表示階調データを含む前記補償された画像信号を出力することを特徴とする。
【００１２】
第３の発明は、第１の発明において、
前記マトリクス記憶部は、前記複数の画素において表示される色に対応する複数のマトリクスを構成するよう配列される前記複数の補正階調データを記憶し、
前記マトリクス付加部は、前記マトリクス記憶部に記憶される前記複数の補正階調データを、対応する色毎に前記複数の表示階調データにそれぞれ加算することにより得られる表示階調データを含む前記補償された画像信号を出力することを特徴とする。
【００１３】
第４の発明は、第３の発明において、
前記マトリクス付加部は、
前記マトリクス記憶部に記憶される前記複数の補正階調データに対して、対応する色毎に予め記憶される係数を乗算するボリューム部と、
前記ボリューム部によって乗算された前記複数の補正階調データを、対応する色毎に前記複数の表示階調データにそれぞれ加算することにより得られる表示階調データを含む前記補償された画像信号を出力する高周波付加部と
を含むことを特徴とする。
【００１４】
第５の発明は、第４の発明において、
前記ボリューム部は、値が０である係数を含む前記複数の係数を記憶することを特徴とする。
【００１５】
第６の発明は、第１から第５までのいずれかの発明に記載の前記表示制御回路から出力される画像信号に対応する複数の映像信号を伝達するための複数の映像信号線と、
前記複数の映像信号線と交差する複数の走査信号線と、
前記複数の映像信号線と前記複数の走査信号線との交差部にそれぞれ対応してマトリクス状に配置されており、対応する交差点を通過する走査信号線に印加される信号に応じて導通状態または遮断状態となるスイッチング素子をそれぞれ含む複数の画素形成部と、
前記複数の映像信号線および前記複数の走査信号線を駆動するための駆動制御回路と
を備えるアクティブマトリクス型表示装置である。
【００１６】
第７の発明は、表示画像を構成する複数の画素を所定の階調で表示するための複数の表示階調データからなる画像信号を外部から受け取り、前記表示画像が表示されるときのざらつきが抑制されるよう補償された画像信号を出力する表示制御方法であって、
前記補償を行うためのマトリクスを構成するよう配列される複数の補正階調データであって、前記複数の表示階調データと対応づけることにより前記マトリクスを画像として取り扱うときの前記マトリクスの空間周波数成分として、表示可能な空間周波数領域内における高域の空間周波数成分が低域の空間周波数成分より大きくなるよう設定される前記複数の補正階調データを記憶するマトリクス記憶ステップと、
前記マトリクス記憶ステップにおいて記憶される複数の補正階調データを、対応する前記複数の表示階調データにそれぞれ加算することにより得られる表示階調データを含む前記補償された画像信号を出力するマトリクス付加ステップ部と
を含む。
【発明の効果】
【００１７】
上記第１の発明によれば、マトリクス付加部により、表示可能な空間周波数領域内における高域の空間周波数成分が低域の空間周波数成分より大きくなるよう設定される複数の補正階調データが対応する複数の表示階調データにそれぞれ加算される簡易な構成で、局所的なざらつきが目に感じにくくなり、全体として特に静止画のざらつき感を解消または低減することができる。
【００１８】
上記第２の発明によれば、マトリクス記憶部により、縦方向に配列される補正階調データの数が表示画像の縦方向の画素数の半分以下となり、かつ横方向に配列される補正階調データの数が表示画像の横方向の画素数の半分以下となるよう設定される前記複数の補正階調データが記憶され、マトリクス付加部によりこれら複数の補正階調データが対応する範囲がそれぞれ重ならないように選ばれる複数の表示階調データにそれぞれ加算される構成により、マトリクス記憶部に必要とされる記憶容量を小さくすることができる。
【００１９】
上記第３の発明によれば、マトリクス記憶部により、複数の画素において表示される色に対応する複数のマトリクスを構成するよう配列される複数の補正階調データが記憶され、マトリクス付加部によりこれら複数の補正階調データが対応する色毎に複数の表示階調データにそれぞれ加算されるので、各色毎の画素における表示特性に応じた補償を行うことができる。
【００２０】
上記第４の発明によれば、ボリューム部により複数の補正階調データに対して対応する色毎に予め記憶される係数が乗算され、高周波付加部により乗算された複数の補正階調データが対応する色毎にそれぞれ加算されるので、各色毎の画素における表示特性に応じた好適な大きさの補正階調データを使用することができる。
【００２１】
上記第５の発明によれば、ボリューム部により値が０である係数を含む複数の係数が記憶される構成により、０に設定された上記係数に対応する色の表示特性上ざらつき感がほとんど生じない場合に補正階調データでざらつきを補償することによってかえって画質の低下を招くことを防止することができる。
【００２２】
上記第６の発明によれば、上記第１から第５までのいずれかの発明と同様の効果をアクティブマトリクス型表示装置において奏することができる。
【００２３】
上記第７の発明によれば、上記第１の発明と同様の効果を表示制御方法において奏することができる。
【発明を実施するための最良の形態】
【００２４】
＜１．  液晶表示装置の全体構成および動作＞
図１は、本発明の一実施形態に係るアクティブマトリクス型液晶表示装置の全体構成を示すブロック図である。この液晶表示装置は、表示制御回路２００、ソースドライバ（映像信号線駆動回路）３００、およびゲートドライバ（走査信号線駆動回路）４００からなる駆動制御部と、表示部５００とを備えている。表示部５００は、複数本（Ｍ本）の映像信号線ＳＬ（１）〜ＳＬ（Ｍ）と、複数本（Ｎ本）の走査信号線ＧＬ（１）〜ＧＬ（Ｎ）と、それら複数本の映像信号線ＳＬ（１）〜ＳＬ（Ｍ）と複数本の走査信号線ＧＬ（１）〜ＧＬ（Ｎ）との交差点にそれぞれ対応して設けられた複数個（Ｍ×Ｎ個）の画素形成部を含んでおり（以下、走査信号線ＧＬ（ｎ）と映像信号線ＳＬ（ｍ）との交差点に対応する画素形成部を参照符号“Ｐ（ｎ，ｍ）”で示すものとする。）、図２および図３に示すような構成となっている。ここで、図２は、本実施形態における表示部５００の構成を模式的に示し、図３は、この表示部５００における画素形成部Ｐ（ｎ，ｍ）の等価回路を示している。
【００２５】
図２および図３に示すように、各画素形成部Ｐ（ｎ，ｍ）は、対応する交差点を通過する走査信号線ＳＬ（ｎ）にゲート端子が接続されるとともに当該交差点を通過する映像信号線ＳＬ（ｍ）にソース端子が接続されたスイッチング素子であるＴＦＴ１０と、そのＴＦＴ１０のドレイン端子に接続された画素電極Ｅｐｉｘと、上記複数個の画素形成部Ｐ（ｉ，ｊ）（ｉ＝１〜Ｎ、ｊ＝１〜Ｍ）に共通的に設けられた共通電極（「対向電極」ともいう）Ｅｃｏｍと、上記複数個の画素形成部Ｐ（ｉ，ｊ）（ｉ＝１〜Ｎ、ｊ＝１〜Ｍ）に共通的に設けられ画素電極Ｅｐｉｘと共通電極Ｅｃｏｍとの間に挟持された電気光学素子としての液晶層とによって構成される。
【００２６】
なお、各画素形成部Ｐ（ｎ，ｍ）は、赤色（Ｒ）、緑色（Ｇ）、青色（Ｂ）のいずれかの色を表示するものであって、図２に示すように、同じ色を表示する画素形成部Ｐ（ｎ，ｍ）が映像信号線ＳＬ（１）〜ＳＬ（Ｍ）に沿って配置されており、かつ走査信号線ＧＬ（１）〜ＧＬ（Ｎ）に沿った方向にＲＧＢの順で配置されている。
【００２７】
各画素形成部Ｐ（ｎ，ｍ）では、画素電極Ｅｐｉｘと、それに液晶層を挟んで対向する共通電極Ｅｃｏｍとによって液晶容量Ｃｌｃが形成されており、その近傍に補助容量Ｃｓが形成されている。
【００２８】
ＴＦＴ１０は、走査信号線ＧＬ（ｎ）に印加される走査信号Ｇ（ｎ）がアクティブになると、当該走査信号線が選択されて導通状態となる。そして、画素電極Ｅｐには駆動用映像信号Ｓ（ｍ）が映像信号線ＳＬ（ｍ）を介して印加される。これにより、その印加された駆動用映像信号Ｓ（ｍ）の電圧（共通電極Ｅｃの電位を基準とする電圧）が、その画素電極Ｅｐを含む画素形成部Ｐ（ｎ，ｍ）に画素値として書き込まれる。
【００２９】
表示制御回路２００は、外部から送られる表示データ信号ＤＡＴとタイミング制御信号ＴＳとを受け取り、デジタル画像信号ＤＶと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、およびゲートクロック信号ＧＣＫを出力する。
【００３０】
ここで、外部からの表示データ信号ＤＡＴは、それぞれ１つの画素形成部に与えられるべき８ビットのデータである赤色表示データＤＲ、緑色表示データＤＧ、および青色表示データＤＢからなる合計２４ビットのパラレルデータを含んでいる。
【００３１】
ソースドライバ３００は、表示制御回路２００から出力されたデジタル画像信号ＤＶ、ソーススタートパルス信号ＳＳＰ、ソースクロック信号ＳＣＫ、およびラッチストローブ信号ＬＳを受け取り、表示部５００内の各画素形成部Ｐ（ｎ，ｍ）の画素容量を充電するために駆動用映像信号を各映像信号線ＳＬ（１）〜ＳＬ（Ｍ）に印加する。このとき、ソースドライバ３００では、ソースクロック信号ＳＣＫのパルスが発生するタイミングで、各映像信号線ＳＬ（１）〜ＳＬ（Ｍ）に印加すべき電圧を示すデジタル画像信号ＤＶが順次に保持される。そして、ラッチストローブ信号ＬＳのパルスが発生するタイミングで、上記保持されたデジタル画像信号ＤＶがアナログ電圧に変換される。変換されたアナログ電圧は、駆動用映像信号として全ての映像信号線ＳＬ（１）〜ＳＬ（Ｍ）に一斉に印加される。すなわち、本実施形態においては、映像信号線ＳＬ（１）〜ＳＬ（Ｍ）の駆動方式には線順次駆動方式が採用されている。
【００３２】
ゲートドライバ４００は、表示制御回路２００から出力されたゲートスタートパルス信号ＧＳＰとゲートクロック信号ＧＣＫとに基づいて、各走査信号線ＧＬ（１）〜ＧＬ（Ｎ）にアクティブな走査信号を印加する。
【００３３】
以上のようにして、各映像信号線ＳＬ（１）〜ＳＬ（Ｍ）に駆動用映像信号が印加され、各走査信号線ＧＬ（１）〜ＧＬ（Ｎ）に走査信号が印加されることにより、表示部５００に画像が表示される。なお、共通電極Ｅｃｏｍは、不図示の電源回路により所定電圧の供給を受けて共通電極電位Ｖｃｏｍに保持される。
【００３４】
＜２．  表示制御回路の構成および動作＞
図４は、本実施形態における表示制御回路２００の構成図である。この表示制御回路２００は、後述するＲＧＢ各色に対応する高周波マトリクスを記憶するマトリクス記憶部２１と、高周波マトリクスを構成する値に所定の値を乗算するボリューム部２２と、与えられる画像データに高周波マトリクスを加算する高周波付加部２３と、タイミング制御を行うタイミング制御部２４と、装置外部から与えられる表示データ信号ＤＡＴに含まれる画素値（表示階調データ）を記憶する入力データ記憶部２５と、出力されるデジタル画像信号ＤＶに含まれるべき画素値を記憶する出力データ記憶部２６とを備えている。なお、マトリクス記憶部２１、入力データ記憶部２５、および出力データ記憶部２６は、図示されない半導体メモリ等の記憶装置における所定の記憶領域にデータを記憶している。
【００３５】
タイミング制御部２４は、外部から送られるタイミング制御信号ＴＳを受け取り、高周波付加部２３および出力データ記憶部２６の動作を制御するための制御信号ＣＴと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、およびゲートクロック信号ＧＣＫとを出力する。
【００３６】
マトリクス記憶部２１は、図示されない半導体メモリ等の記憶装置における所定の記憶領域にそれぞれｐ行ｑ列の要素（ここでは後述する補正階調データ）を有する高周波マトリクスＭＲ、ＭＧ、ＭＢを記憶している。これら高周波マトリクスＭＲ、ＭＧ、ＭＢは、それぞれ赤（Ｒ）色、緑（Ｇ）色、青（Ｂ）色の画素形成部からなる画素ブロックにより表示されるべき画像を補正するためのものである。このように各色毎に高周波マトリクスを設けることにより、各色毎の画素形成部における表示特性に応じた補償を行うことができる。以下ではこれらの高周波マトリクスのうち、説明の便宜上、高周波マトリクスＭＲについて説明し、同様の構成を有する高周波マトリクスＭＧ、ＭＢについての説明は省略する。
【００３７】
図５は、赤色（Ｒ）に対応する高周波マトリクスＭＲを例示する図である。この図５に示される高周波マトリクスＭＲは、６４行６４列のマトリクス状に配列された補正階調データＭＲ（１，１）〜ＭＲ（６４，６４）からなる。以下この補正階調データをＭＲ（ｐ，ｑ）で表すものとする（ｐ，ｑは６４以下の自然数）。この補正階調データＭＲ（ｐ，ｑ）は、ここでは８ビットのデータであって、予め定められた−１２７から１２７までの範囲内における整数値のいずれかを値として有している。例えば、補正階調データＭＲ（１，１）は、高周波マトリクスＭＲにおける１行１列目の要素であり、その値は図５に示されるように４８である。
【００３８】
この高周波マトリクスＭＲを構成する補正階調データＭＲ（ｐ，ｑ）の各値は、後述するように表示部５００に含まれる赤（Ｒ）色の画素形成部からなる画素ブロックにより表示されるべき画像を補正するための値である。よって、この高周波マトリクスＭＲは、表示部５００によりそのまま表示される画像ではないが、表示されるべき画像と同様に取り扱うことができ、このように画像として取り扱われる場合には所定の空間周波数成分を有するといえる。
【００３９】
そして、この高周波マトリクスＭＲを構成する補正階調データＭＲ（ｐ，ｑ）の各値は、（画像として取り扱われる）上記高周波マトリクスＭＲの空間周波数成分のうち、高い周波数の成分（高域空間周波数成分）が低い周波数の成分（低域空間周波数成分）よりも大きくなるように設定されている。ここで、上記高域空間周波数成分とは、一般的な画像を表示部５００において表示する場合、装置の構成上表示可能な空間周波数領域内における全空間周波数成分のうちの高い周波数領域の成分を指し、低域空間周波数成分とは、そのうちの低い周波数領域の成分を指すものとする。
【００４０】
なお、その具体的な数値は、高周波マトリクスにおける高い空間周波数成分が大きくなるように様々な手法により求めることができる。例えばストキャスティックメソッドと呼ばれる手法では、上記高周波マトリクスを構成する補正階調データの各値のうちの１つが選択され、選択された値がランダムに変更されてその都度空間周波数が計算され、計算の結果高い空間周波数成分が大きくなる場合には選択された値が変更された値に変更され、高い空間周波数成分が大きくない場合には選択された値のまま変更されることなく他の補正階調データの各値のうちの１つが選択され、同様の計算処理が行われるという一連の処理が高い空間周波数成分の大きい所望の結果が得られるまで繰り返し行われる。
【００４１】
図６は、図５に示される高周波マトリクスＭＲの空間周波数特性を示す図である。なお、この図６に示されるグラフの縦方向および横方向の各軸はそれぞれ高周波マトリクスＭＲに含まれる縦方向および横方向の空間周波数成分の周波数を表し、高さ方向の軸は当該空間周波数成分の強度を表している。すなわち、グラフの周縁部分に近いほど空間周波数成分の周波数が高くなり、グラフの中央部分は直流（ＤＣ）成分となる。
【００４２】
図６に示されるように、高周波マトリクスＭＲの空間周波数特性は、高い空間周波数成分が低い空間周波数成分よりも大きいことがわかり、より具体的にはより高域の空間周波数成分がほとんどの場合より大きくなるものであることがわかる。
【００４３】
このように高域（高い周波数領域）の空間周波数成分が大きい高周波マトリクスの補正階調データを後述するように表示部５００に表示される画像の階調値に適宜加算することにより、表示される画像の全体に渡ってノイズ様の高周波成分が含まれることになる。このことにより、表示される画像の一部に生じるべき局所的なざらつきが目に感じにくくなるので、表示される画像を全体として見るときの表示画面のざらつき感を解消または低減することができる。
【００４４】
ボリューム部２２は、上記マトリクス記憶部２１に記憶される高周波マトリクスＭＲを構成する補正階調データＭＲ（ｐ，ｑ）の各値に対してそれぞれ所定値αＲ（例えば０．２〜０．３程度の値）を乗じた補正階調データＭｃＲ（ｐ，ｑ）の各値からなる補正高周波マトリクスＭｃＲを高周波付加部２３に与える。同様に、ボリューム部２２は、高周波マトリクスＭＧを構成する各補正階調データＭＧ（ｐ，ｑ）の各値に対して所定値αＧを、また、高周波マトリクスＭＢを構成する各補正階調データＭＢ（ｐ，ｑ）の各値に対して所定値αＢをそれぞれ乗じた補正階調データＭｃＧ（ｐ，ｑ）の各値からなる補正高周波マトリクスＭｃＧと、補正階調データＭｃＢ（ｐ，ｑ）の各値からなる補正高周波マトリクスＭｃＢとを高周波付加部２３に与える。
【００４５】
このように、高周波マトリクスの各要素に対して所定値αＲ，αＧ，αＢを乗算する構成では、上記αＲ，αＧ，αＢの値を各色画像の表示部５００における表示特性に応じてそれぞれを適宜に設定することにより、各色毎の表示特性に応じた好適な大きさの補正階調データを使用することができる。
【００４６】
さらに、上記αＲ，αＧ，αＢの値のうちいずれか１つまたは２つの値を０に設定することにより、０に設定された上記値に対応する色の表示特性上ざらつき感がほとんど生じない場合に上記補正階調データでざらつきを補償することによってかえって画質の低下を招くことを防止することができる。
【００４７】
高周波付加部２３は、入力データ記憶部２５に記憶される各表示階調データを各色ＲＧＢ毎に分けることにより得られる赤色（Ｒ）画像、緑色（Ｇ）画像、および青色（Ｂ）画像に対して、それぞれ対応する色に応じた補正高周波マトリクスＭｃＲ、ＭｃＧ、ＭｃＢを加算する。この加算は、上記各色画像の全範囲、すなわち全ての表示階調データに対して行われる。以下、この加算動作について具体的に説明する。
【００４８】
ここで図１に示される表示部５００における表示解像度がＶＧＡすなわち６４０（横）×４８０（縦）である場合、各色画像も６４０×４８０の各表示階調データにより構成されることになる。なお、このとき図２を参照すればわかるように、Ｍ＝６４０×３，Ｎ＝４８０である。したがって、例えばＲ画像を構成する画素形成部は、図２に示されるようにＰ（１，１），Ｐ（１，４），Ｐ（１，７），…，Ｐ（２，１），Ｐ（２，４），…となり、ｘを４８０以下の自然数、ｙを６４０以下の自然数とするとＰ（ｘ，３ｙ−２）と表すことができる。
【００４９】
高周波付加部２３は、外部から送られる表示データ信号ＤＡＴに含まれる表示階調データであって上記赤色（Ｒ）を表示する画素形成部Ｐ（ｘ，３ｙ−２）に与えられるべき表示階調データに対して、補正高周波マトリクスＭｃＲに含まれる対応する補正階調データＭｃＲ（ｐ，ｑ）の各値を後述するブロック毎に順次加算し、得られた加算後の表示階調データを出力データ記憶部２６に順次記憶する。
【００５０】
例えば、Ｐ（１，１）に与えられるべき表示階調データの値が２００であるとする。これに対応する高周波マトリクスＭＲに含まれる補正階調データＭＲ（１，１）の値は、図５（の左上）に示されるように４８であるので、上記αＲの値を０．２とするとき、加算後の表示階調データの値は、小数点以下を四捨五入すると２１０（≒２００＋４８×０．２）となる。同様に、Ｐ（１，４），Ｐ（１，７）に与えられるべき表示階調データの値も２００であるとすると、Ｐ（１，４）に与えられる加算後の表示階調データの値は１８２となり、Ｐ（１，７）に与えられる加算後の表示階調データの値は２０５となる。
【００５１】
このようにして、画素形成部Ｐ（ｐ，３ｑ−２）を１つのブロックとして６４×６４の補正高周波マトリクスＭｃＲを使用した加算が終了すると、次に高周波付加部２３は、また加算されていない赤色（Ｒ）を表示する画素形成部のうち上記ブロックの右側に隣接するブロックを構成する画素形成部Ｐ（ｐ，３（ｑ＋６４）−２）に与えられるべき表示階調データに対して、同様に補正高周波マトリクスＭｃＲに含まれる対応する補正階調データＭｃＲ（ｐ，ｑ）を加算する。
【００５２】
例えば、画素形成部Ｐ（１，１９２），Ｐ（１，１９５），Ｐ（１，１９８），…，Ｐ（２，１９２），Ｐ（２，１９５），…に与えられるべき表示階調データに対して、補正高周波マトリクスＭｃＲに含まれる対応する補正階調データＭｃＲ（ｐ，ｑ）を加算する。
【００５３】
そうして上記ブロックの右側に隣接するブロックがなくなると、さらに次に高周波付加部２３は、また加算されていない赤色（Ｒ）を表示する画素形成部のうち画素形成部Ｐ（ｐ，ｑ）の下側に隣接するブロックを構成する画素形成部Ｐ（ｐ＋６４，３ｑ−２）に与えられるべき表示階調データに対して、同様に補正高周波マトリクスＭｃＲに含まれる対応する補正階調データＭｃＲ（ｐ，ｑ）を加算し、同様にして順次左上のブロックから右下のブロックまで上述のような加算処理を行う。
【００５４】
そうして赤色（Ｒ）を表示する画素形成部に与えられるべき表示階調データ全てに対して加算が終了すると、高周波付加部２３は、同様に緑色（Ｇ）および青色（Ｂ）を表示する画素形成部に与えられるべきそれぞれの表示階調データ全てに対して加算を行う。
【００５５】
以上のような高周波付加部２３による加算処理が終了すると、出力データ記憶部２６は、表示部５００に含まれる全ての画素形成部に与えるべき補償された表示階調データを記憶することになる。出力データ記憶部２６は、タイミング制御部２４からの制御信号ＣＴに応じた適宜のタイミングで、上記表示階調データを読み出すことにより、ソースドライバ３００に与えられるべきデジタル画像信号ＤＶを出力する。
【００５６】
このデジタル画像信号ＤＶは（ＲＧＢ各８ビット合計２４ビットのパラレルデータとして）ソースドライバ３００に供給される。ソースドライバ３００では、そのデジタル画像信号ＤＶが各色毎にアナログ電圧に変換され、駆動用映像信号として対応する映像信号線ＳＬ（１）〜ＳＬ（Ｍ）に印加される。このようにして映像信号線ＳＬ（１）〜ＳＬ（Ｍ）に駆動用映像信号として印加された電圧は、それぞれ、ゲートドライバ４００によるアクティブな走査信号の順次的な印加によって導通状態となったＴＦＴ１０を介して、各画素形成部Ｐ（ｎ，ｍ）の画素電極Ｅｐｉｘに印加され、当該画素形成部Ｐ（ｎ，ｍ）の画素容量に保持される。この画素容量における保持電圧が液晶に印加されて表示部５００の光の透過率が制御されることで、画像が表示される。この画像におけるざらつき感が解消または低減されることについては前述したとおりである。
【００５７】
＜３．  効果＞
以上のように本実施形態における表示制御回路およびそれを備えるアクティブマトリクス型表示装置は、高域の空間周波数成分が大きい高周波マトリクスを画像データに対して加算する簡易な構成で、局所的なざらつきが目に感じにくくなり、全体として表示画面における（特に静止画の）ざらつき感を解消または低減することができる。
【００５８】
＜４.  変形例＞
上記実施形態では、高周波マトリクスの大きさは図５に示されるように６４×６４であるが、高域の空間周波数成分を大きくすることができる程度の大きさであればより小さくてもよいし、表示されるべき画像の大きさを超えない程度に大きくてもよい。もっとも、図５に示されるように、一般的な表示画面（例えばＶＧＡでは６４０×４８０ドット）の大きさの半分以下の小さい（すなわち補正階調データ数が少ない）高周波マトリクスを使用することにより、マトリクス記憶部２１の記憶容量を小さくすることができる。
【００５９】
上記実施形態では、マトリクス記憶部２１は、高周波マトリクスＭＲ、ＭＧ、ＭＢをそれぞれ１つずつ記憶するが、それぞれ２つ以上記憶していてもよいし、共通して使用される１つのみを記憶していてもよい。高周波マトリクスがそれぞれ２つ以上記憶される構成では、当該液晶表示装置の表示部における特有の画素形成部の特性ばらつきに応じて、ざらつき感が解消または低減されるのに好適な空間周波数成分を含む高周波マトリクスを製造時または使用時に適宜選択することが可能となり、簡易な構成で各表示装置の特性に応じてよりざらつき感を解消または低減することができる。
【００６０】
なお、以上ではアクティブマトリクス型の液晶表示装置を例に挙げて説明したが、アクティブマトリクス型の表示装置であってスイッチング素子に特性ばらつきがあるような表示装置であれば、液晶表示装置以外にも本発明の適用が可能である。
【図面の簡単な説明】
【００６１】
【図１】本発明の一実施形態に係るアクティブマトリクス型液晶表示装置の全体構成を示すブロック図である。
【図２】アクティブマトリクス型液晶表示装置の表示部の構成を模式的に示す図である。
【図３】アクティブマトリクス型液晶表示装置における画素形成部の等価回路を示す回路図である。
【図４】上記実施形態における表示制御回路の構成を示すブロック図である。
【図５】上記実施形態において、高周波マトリクスの例を示す図である。
【図６】上記実施形態において、高周波マトリクス例の空間周波数特性を示す図である。
【符号の説明】
【００６２】
１０          …ＴＦＴ（スイッチング素子）
２１          …マトリクス記憶部
２２          …ボリューム部
２３          …高周波付加部
２４          …タイミング制御部
２５          …入力データ記憶部
２６          …出力データ記憶部
２００        …表示制御回路
３００        …ソースドライバ
４００        …ゲートドライバ
５００        …表示部
ＤＡＴ        …表示データ信号
ＤＶ          …デジタル画像信号
Ｃｌｃ        …液晶容量
Ｃｓ          …寄生容量
Ｅｃｏｍ      …共通電極
Ｅｐｉｘ      …画素電極
ＧＬ（ｎ）    …走査信号線（ｎ＝１〜Ｎ）
ＳＬ（ｍ）    …データ信号線（ｍ＝１〜Ｍ）
Ｐ（ｎ，ｍ）  …画素形成部（ｎ＝１〜Ｎ、ｍ＝１〜Ｍ）
【図１】
2008032766.tif 000003
【図２】
2008032766.tif 000004
【図３】
2008032766.tif 000005
【図４】
2008032766.tif 000006
【図５】
2008032766.tif 000007
【図６】
2008032766.tif 000008